(57)【要約】      （修正有） 【課題】壁面を汚すことなく、壁面を損傷させることもなく、壁面装飾手段、広告宣伝手段、案内表示手段等を比較的容易に壁面に設置する壁付けフック用表示具を提供する。【解決手段】表示具３は、壁付けフックに取付けられる。壁付けフックは、壁面に配置される接着シート材１と、接着シート材に係留されるフック部品２とから構成される。表示具は、接着シート材１の係留部１１を挿通可能なシート開口３５を備えた表示シート３０を有する。シート開口３５は、スライド係留式の複合穴であり、係留部１１の頭部１４の直径よりも大きい直径を有する円形のシート開口部３５ａと、シート開口部３５ａの頂部から上方に延びるスロット形態又はスリット形態のシート溝３５ｂとから構成される。表示シート３０は、係留部１１の軸部１３をシート溝３５ｂに挿通した状態で係留部１１の基部１２とフック部品２の基板２０、２４との間に介挿され、基部１２と基板２０、２４とによって挟圧されて壁付けフックに保持される。【選択図】図５
0003213426.tif 000002
【実用新案登録請求の範囲】
【請求項１】
壁面(W)に配置される接着シート材(1)と、該接着シート材に係留されるフック部品(2)とから構成される壁付けフックに対して取付けられる表示具(3)であって、
前記接着シート材は、壁面に接着される接着シート本体(10)と、該接着シート本体から室内側に突出する円形断面の係留部(11)とを有し、該係留部は、前記接着シート本体の室内側表面から隆起した基部(12)と、該基部から室内側に突出する軸部(13)と、該軸部の室内側端部に一体化した頭部(14)とを有し、前記軸部は、前記基部及び頭部の各直径よりも小さい直径を有し、
前記フック部品は、前記係留部を挿通可能な基板開口(25)を備えた基板(20)を有し、該基板開口は、前記頭部の直径よりも大きい直径を有する円形の基板開口部(25a)と、該基板開口部の頂部から上方に延びるスロット形態又はスリット形態の基板溝(25b)とから構成されるスライド係留式の複合穴からなり、前記基板開口部は、前記頭部よりも大きい直径を有し、前記基板溝は、前記基部及び頭部の各直径よりも小さく且つ前記軸部の直径よりも大きい寸法の溝幅を有し、
前記表示具は、前記係留部を挿通可能なシート開口(35)を備えた表示シート(30)を有し、該シート開口は、前記頭部の直径よりも大きい直径を有する円形のシート開口部(35a)と、該シート開口部の頂部から上方に延びるスロット形態又はスリット形態のシート溝(35b)とから構成されるスライド係留式の複合穴からなり、前記シート開口部は、前記頭部よりも大きい直径を有し、前記シート溝は、前記基部及び頭部の各直径よりも小さく且つ前記軸部の直径よりも大きい寸法の溝幅を有し、
前記表示シートは、前記軸部を前記シート溝に挿通した状態で前記基部と前記基板との間に介挿され、前記基部と前記基板とによって挟圧されて前記壁付けフックに保持されることを特徴とする表示具。
【請求項２】
前記軸部の軸芯方向の寸法は、前記基部及び頭部の間に挟まれる前記基板及びシートの各厚さ寸法の合計値よりも小さい値に設定されることを特徴とする請求項１に記載の表示具。
【請求項３】
前記係留部は、弾力的に変形可能な軟質樹脂の一体成型品からなり、前記基板は、硬質樹脂の一体成型品からなり、前記表示シートは、前記基板を前記係留部に係留する際に生じる前記基部の圧縮変形に起因した該基部の弾性復元力又は弾性反発力により前記基部及び前記基板の間に挟圧されることを特徴とする請求項１又は２に記載の表示具。
【請求項４】
請求項１乃至３のいずれか１項に記載された表示具の表示面を室内空間に向けた状態で該表示具を前記係留部の基部と前記フック部品の基板とによって挟持することを特徴とする壁付けフック。
【請求項５】
前記基板は、前記表示シートを前記壁面の側に押圧して変形させるように該基板の背面側又は裏面側に延び又は突出する周壁(22）又は突起(22a)を有することを特徴とする請求項４に記載の壁付けフック。
【請求項６】
壁面(W)に配置される接着シート材(1)と、該接着シート材に係留されるフック部品(2)とを有する壁付けフックにおいて、
前記接着シート材は、壁面に接着される接着シート本体(10)と、該接着シート本体から室内側に突出する円形断面の係留部(11)とを有し、該係留部は、前記接着シート本体の室内側表面から隆起した基部(12)と、該基部から室内側に突出する軸部(13)と、該軸部の室内側端部に一体化した頭部(14)とを有し、前記軸部は、前記基部及び頭部の各直径よりも小さい直径を有し、
前記フック部品は、前記係留部を挿通可能な基板開口(25)を備えた基板(20)を有し、該基板開口は、前記頭部の直径よりも大きい直径を有する円形の基板開口部(25a)と、該基板開口部の頂部から上方に延びるスロット形態又はスリット形態の基板溝(25b)とから構成されるスライド係留式の複合穴からなり、前記基板開口部は、前記頭部よりも大きい直径を有し、前記基板溝は、前記基部及び頭部の各直径よりも小さく且つ前記軸部の直径よりも大きい寸法の溝幅を有し、
任意の輪郭、形態、文字、図形、模様及び／又は色を有し又は施した表示具(3)が、表示具の表示面を室内空間に向けた状態で前記接着シート材と前記フック部品との間に介挿され、
前記表示具は、前記係留部を挿通可能なシート開口(35)を備えた表示シート(30)を有し、該シート開口は、前記頭部の直径よりも大きい直径を有する円形のシート開口部(35a)と、該シート開口部の頂部から上方に延びるスロット形態又はスリット形態のシート溝(35b)とから構成されるスライド係留式の複合穴からなり、前記シート開口部は、前記頭部よりも大きい直径を有し、前記シート溝は、前記基部及び頭部の各直径よりも小さく且つ前記軸部の直径よりも大きい寸法の溝幅を有し、
前記表示シートは、前記軸部を前記シート溝に挿通した状態で前記基部と前記基板との間に介挿され、前記基部と前記基板とによって挟圧され、前記接着シート材及び前記フック部品によって把持されることを特徴とする壁付けフック。
【請求項７】
前記軸部の軸芯方向の寸法は、前記基部及び頭部の間に挟まれる前記基板及びシートの各厚さ寸法の合計値よりも小さい値に設定されることを特徴とする請求項６に記載の壁付けフック。
【請求項８】
前記係留部は、弾力的に変形可能な軟質樹脂の一体成型品からなり、前記基板は、硬質樹脂の一体成型品からなり、前記表示シートは、前記基板を前記係留部に係留する際に生じる前記基部の圧縮変形に起因した該基部の弾性復元力又は弾性反発力により前記基部及び前記基板の間に挟圧されることを特徴とする請求項６又は７に記載の壁付けフック。
【請求項９】
前記基板は、前記表示シートを前記壁面の側に押圧して変形させるように該基板の背面側又は裏面側に延び又は突出する周壁(22）又は突起(22a)を有することを特徴とする請求項６乃至８のいずれか１項に記載の壁付けフック。
【考案の詳細な説明】
【技術分野】
【０００１】
本考案は、壁付けフック用表示具に関するものであり、より詳細には、壁面に設けられる物品懸吊用フックを壁面装飾手段、広告宣伝手段、案内表示手段、メッセージ表示手段、日付表示手段、時刻表示手段等の様々な用途に利用することを可能にする壁付けフック用表示具に関するものである。
【背景技術】
【０００２】
鍵、額、バッグ、帽子、鏡、衣服や、日常的に使用される小物類等を引っ掛け又は係止するために戸建て住宅建物、集合住宅建物等の建築物の室内壁面に取付けられる壁付けフック、壁フック又は壁掛けフック（本願においては、「壁付けフック」という。）が知られている。一般に、この種のフックは、ユーザの生活実態又は生活習慣等に適応した壁面の所望の部位に配置されることが望ましく、このため、建築物の建設時に予め壁面に施工されることは比較的少なく、普通は、建築物のユーザが、建築物の使用開始後に釘、ビス、接着剤等の固定手段を用いて壁面の適所にフック部材等を固定することにより、壁面に設置される。
【０００３】
このような壁付けフックに関し、本出願人は、ビニルクロス（塩化ビニル樹脂系壁紙）の壁面に接着シート材を接着し、この接着シート材に対してフック部品を組付けてなる組立式の壁付けフック（特許文献１：特許第5927312号公報）を販売している。この壁付けフックは、特許文献１に記載されたとおり、シート状の軟質樹脂成形品からなる厚さ１mm程度の接着シート材と、この接着シート材に係合することにより壁面に固定されるフック部品とから構成される。接着シート材は、剥離可能な変性シリコン系接着剤によって壁面に接着される。この構成の壁付けフックは、壁面の任意の位置に取付けることができ、不用時又は不要時には、壁面を損傷させることなく、比較的容易に壁面から撤去することができるので、実用的に極めて有利である。
【先行技術文献】
【特許文献】
【０００４】
【特許文献１】特許第5927312号公報
【考案の概要】
【考案が解決しようとする課題】
【０００５】
一般に、建築物の室内壁面には、壁面の装飾、広告宣伝、サイン又は案内表示等を表出する紙、板、シート等や、メッセージ、伝言、日付、時刻等の表示手段を構成する紙、板、シート等が、画鋲、糊、釘、ビス、両面テープ等の様々な固定手段又は係留手段で取付けられる。しかしながら、この種の表示手段又はプレゼンテーション手段を画鋲、糊、釘等で壁に固定すると、壁を汚し又は損傷させることが懸念されるので、壁面へのシート等の設置を断念し又は躊躇せざるを得ないことが多い。
【０００６】
本考案は、このような課題に鑑みてなされたものであり、その目的とするところは、上記壁付けフックの構造を利用して、壁面の装飾、広告宣伝、サイン、案内や、メッセージ、日付、時刻等の表示手段を構成する部材、部品等を壁面に取外し可能に係留し、これにより、壁面を汚すことなく、壁面を損傷させることもなく、壁面装飾手段、広告宣伝手段、案内表示手段、メッセージ表示手段、日付表示手段、時刻表示手段等を比較的容易に壁面に設置し得るようにすることにある。
【課題を解決するための手段】
【０００７】
上記目的を達成するために、本考案は、壁面(W)に配置される接着シート材(1)と、該接着シート材に係留されるフック部品(2)とから構成される壁付けフックに対して取付けられる表示具(3)であって、
前記接着シート材は、壁面に接着される接着シート本体(10)と、該接着シート本体から室内側に突出する円形断面の係留部(11)とを有し、該係留部は、前記接着シート本体の室内側表面から隆起した基部(12)と、該基部から室内側に突出する軸部(13)と、該軸部の室内側端部に一体化した頭部(14)とを有し、前記軸部は、前記基部及び頭部の各直径よりも小さい直径を有し、
前記フック部品は、前記係留部を挿通可能な基板開口(25)を備えた基板(20)を有し、該基板開口は、前記頭部の直径よりも大きい直径を有する円形の基板開口部(25a)と、該基板開口部の頂部から上方に延びるスロット形態又はスリット形態の基板溝(25b)とから構成されるスライド係留式の複合穴からなり、前記基板開口部は、前記頭部よりも大きい直径を有し、前記基板溝は、前記基部及び頭部の各直径よりも小さく且つ前記軸部の直径よりも大きい寸法の溝幅を有し、
前記表示具は、前記係留部を挿通可能なシート開口(35)を備えた表示シート(30)を有し、該シート開口は、前記頭部の直径よりも大きい直径を有する円形のシート開口部(35a)と、該シート開口部の頂部から上方に延びるスロット形態又はスリット形態のシート溝(35b)とから構成されるスライド係留式の複合穴からなり、前記シート開口部は、前記頭部よりも大きい直径を有し、前記シート溝は、前記基部及び頭部の各直径よりも小さく且つ前記軸部の直径よりも大きい寸法の溝幅を有し、
前記表示シートは、前記軸部を前記シート溝に挿通した状態で前記基部と前記基板との間に介挿され、前記基部と前記基板とによって挟圧されて前記壁付けフックに保持されることを特徴とする表示具を提供する。
【０００８】
本考案の上記構成によれば、接着シート材を壁面に接着した後、係留部の軸部を表示シートのシート溝に挿通して表示シートを係留部に係止し、しかる後、係留部の軸部をフック部品の基板溝に挿通してフック部品の基板を係留部にしっかりと係合又は嵌着せしめるとにより、表示具の表示シートを基部と基板とによって挟圧することができる。このようにして壁付けフックに保持された表示具は、壁面の装飾、広告宣伝、サイン、案内や、メッセージ、日付、時刻等の表示手段を構成する。表示具は、フック部品と係留部との係合又は嵌着状態を解放することにより、比較的容易に壁付けフックから取外すことができる。従って、本考案の表示具によれば、壁面を汚すことなく、壁面を損傷させることもなく、壁面装飾手段、広告宣伝手段、案内表示手段、メッセージ表示手段、日付表示手段、時刻表示手段等を比較的容易に壁面に設置し、しかも、これを比較的容易に壁面から撤去することができる。
【０００９】
好ましくは、表示具は、上記軸部を上記シート溝に挿通した状態で上記基部と上記基板との間に介挿され、基部と基板とによって挟圧された状態で壁付けフックに保持される。更に好ましくは、軸部の軸芯方向の寸法は、基部及び頭部の間に挟まれる基板及びシートの各厚さ寸法の合計値よりも小さい値に設定される。
【００１０】
好適には、上記係留部は、弾力的に変形可能な軟質樹脂の一体成型品からなり、上記基板は、硬質樹脂の一体成型品からなり、上記表示シートは、上記基板を上記係留部に係留する際に生じる上記基部の圧縮変形に起因した基部の弾性復元力又は弾性反発力により基部及び基板の間に挟圧される。
【００１１】
他の観点より、本考案は、上記構成の表示具の表示面を室内空間に向けた状態で該表示具を上記係留部の基部と上記フック部品の基板とによって挟持することを特徴とする壁付けフックを提供する。好ましくは、上記基板は、上記表示シートを壁面の側に押圧して変形させるように基板の背面側又は裏面側に延び又は突出する周壁(22)又は突起(22a)を有する。
【００１２】
このように表示具を組付け又は一体化した壁付けフックによれば、表示具の装飾的効果等により、壁付けフックの意匠性又は装飾効果を向上することができ、或いは、表示具の機能的効果又はプレゼンテーション効果を利用して、壁付けフックの用途又は機能を多様化し又は拡張することができる。
【００１３】
更に他の観点より、本考案は、壁面(W)に配置される接着シート材(1)と、該接着シート材に係留されるフック部品(2)とを有する壁付けフックにおいて、
前記接着シート材は、壁面に接着される接着シート本体(10)と、該接着シート本体から室内側に突出する円形断面の係留部(11)とを有し、該係留部は、前記接着シート本体の室内側表面から隆起した基部(12)と、該基部から室内側に突出する軸部(13)と、該軸部の室内側端部に一体化した頭部(14)とを有し、前記軸部は、前記基部及び頭部の各直径よりも小さい直径を有し、
前記フック部品は、前記係留部を挿通可能な基板開口(25)を備えた基板(20)を有し、該基板開口は、前記頭部の直径よりも大きい直径を有する円形の基板開口部(25a)と、該基板開口部の頂部から上方に延びるスロット形態又はスリット形態の基板溝(25b)とから構成されるスライド係留式の複合穴からなり、前記基板開口部は、前記頭部よりも大きい直径を有し、前記基板溝は、前記基部及び頭部の各直径よりも小さく且つ前記軸部の直径よりも大きい寸法の溝幅を有し、
任意の輪郭、形態、文字、図形、模様及び／又は色を有し又は施した表示具(3)が、表示具の表示面を室内空間に向けた状態で前記接着シート材と前記フック部品との間に介挿され、
前記表示具は、前記係留部を挿通可能なシート開口(35)を備えた表示シート(30)を有し、該シート開口は、前記頭部の直径よりも大きい直径を有する円形のシート開口部(35a)と、該シート開口部の頂部から上方に延びるスロット形態又はスリット形態のシート溝(35b)とから構成されるスライド係留式の複合穴からなり、前記シート開口部は、前記頭部よりも大きい直径を有し、前記シート溝は、前記基部及び頭部の各直径よりも小さく且つ前記軸部の直径よりも大きい寸法の溝幅を有し、
前記表示シートは、前記軸部を前記シート溝に挿通した状態で前記基部と前記基板との間に介挿され、前記基部と前記基板とによって挟圧され、前記接着シート材及び前記フック部品によって把持されることを特徴とする壁付けフックを提供する。
【考案の効果】
【００１４】
本考案に係る表示具によれば、壁付けフックの構造を利用して、壁面の装飾、広告宣伝、サイン、案内や、メッセージ、日付、時刻等の表示手段を構成する部材、部品等を壁面に取外し可能に係留し、これにより、壁面を汚すことなく、壁面を損傷させることもなく、壁面装飾手段、広告宣伝手段、案内表示手段、メッセージ表示手段、日付表示手段、時刻表示手段等を比較的容易に壁面に設置することが可能となる。
【００１５】
また、このような表示具を組付け又は一体化した壁付けフックによれば、壁付けフックの意匠性又は装飾効果を向上し、或いは、表示具の機能的効果又はプレゼンテーション効果を利用して、壁付けフックの用途又は機能を多様化し又は拡張することができる。
【図面の簡単な説明】
【００１６】
【図１】図１は、本考案の実施形態に係る壁付けフックを構成する接着シート材の正面図、背面図、側面図、平面図及びＩ−Ｉ線断面図である。
【図２】図２（Ａ）〜図２（Ｄ）は、帽子、バッグ、衣服等を懸吊するためのフック部を有するフック部品の正面図、背面図、II−II線断面図及び斜視図であり、図２（Ｅ）は、使用状態を示す壁付けフックの縦断面図である。
【図３】図３は、フック部品を接着シート材に取付ける態様を示す縦断面図である。
【図４】図４は、本考案に係る表示具の構成を示す正面図である。
【図５】図５は、表示具を接着シート材に対して取付ける過程又は態様を示す斜視図である。
【図６】図６は、表示具を接着シート材に対して取付ける過程又は態様を示す縦断面図である。
【図７】図７は、表示具を接着シート材に対して取付けた状態を示す縦断面図である。
【図８】図８は、図７のIII-III線断面図である。
【図９】図９は、表示シートの表面印刷等によって表示具の表示面に表出した絵柄又は模様を例示する表示具の正面図である。
【図１０】図１０は、表示具の変形例を例示する正面図である。
【図１１】図１１は、表示具の更なる変形例を例示する正面図である。
【図１２】図１２は、接着シート材の変形例を示す正面図、背面図、側面図、平面図及びIV−IV線断面図である。
【考案を実施するための形態】
【００１７】
以下、添付図面を参照して、本考案の好適な実施形態について詳細に説明する。 
【００１８】
図１は、本考案の実施形態に係る壁付けフックを構成する接着シート材の正面図、背面図、側面図、平面図及びＩ−Ｉ線断面図である。
【００１９】
図１に示す接着シート材１は、正面視において幅及び高さが約５５mm及び約８０mmの寸法を有する厚さ約１mm程度の接着シート本体１０と、接着シート本体１０の正面下部に一体的に突設された正面視真円形の係留部１１とから構成される。接着シート本体１０は、中心軸線Ｘ−Ｘに対して左右対称の形状を有し、水平方向に延びる直線状の上縁１０ａと、鉛直方向に延びる左右の側縁１０ｂと、全体的に半円状に延びる下縁１０ｃとを備える。上縁１０ａと側縁１０ｂとの連接部は、円弧状輪郭に成形されている。接着シート材１は、ＰＥ(ポリエチレン)樹脂、ＰＶＣ(ポリ塩化ビニル)樹脂、ＰＰ(ポリプロピレン)樹脂、熱可塑性エラストマー樹脂、ＰＡ(ポリアミド)樹脂等の軟質樹脂（本例では、ＰＥ樹脂）の一体成型品からなる。
【００２０】
図１（Ｃ）及び図１（Ｅ）には、接着シート材１を壁面Ｗに貼着した状態が示されている。図１（Ｃ）及び図１（Ｅ）に示す如く、接着シート本体１０は、その裏面が接着剤Ｇによって室内壁面Ｗに接着される。壁面Ｗは、表面に微細な凹凸を有するビニルクロス（塩化ビニル樹脂系壁紙）等の壁紙の内装仕上げ面からなり、接着剤Ｇは、この種の壁面に剥離可能に被接着物を接着することができる変成シリコン系接着剤（例えば、シャープ化学工業株式会社の「ピタッ！とｐｅｅｌ」）である。接着シート本体１０の背面（裏面）には、接着剤の塗布位置の指標として接着剤塗布溝１５（図１（Ｂ）に一点鎖線で示す）が形成される。接着剤塗布溝１５は、接着シート本体１０の裏面に凹設された溝幅約１〜２mm程度の連続溝からなる。ユーザは、接着剤のチューブ形容器（図示せず）から接着剤を押し出して接着剤塗布溝１５に連続的に塗布することにより、適量の接着剤を接着シート本体１０の背面に塗布することができる。
【００２１】
係留部１１は、接着シート本体１０の表面から隆起した円盤状の基部１２と、基部１２と同心状且つ一体的に基部１２の先端から突出した円盤状の軸部１３と、軸部１３の先端に同心状且つ一体的に形成された円盤状の頭部１４とから構成される。基部１２は、シート材本体と同等の寸法（約１mm）の厚さ(隆起寸法)を有し、軸部１３及び頭部１４は、基部１２よりも厚く、約２mm程度の厚さ（突出寸法)を有する。基部１２、軸部１３及び頭部１４は、いずれも正面視真円形の輪郭を有する。基部１２及び頭部１４は、約１５mm程度の直径を有し、軸部１３は、約８mm程度の直径を有する。
【００２２】
図２（Ａ）〜図２（Ｄ）は、帽子、バッグ、衣服等を懸吊するためのフック部を有するフック部品の正面図、背面図、II−II線断面図及び斜視図であり、図２（Ｅ）は、使用状態を示す壁付けフックの縦断面図である。
【００２３】
フック部品２は、ＰＣ(ポリカーボネート)樹脂、ＡＢＳ樹脂、ＰＯＭ(ポリアセタール)樹脂、ＰＡ樹脂、ＰＳ(ポリスチレン)樹脂、ＰＶＣ樹脂、ＰＰ樹脂、ＰＥ樹脂等の硬質樹脂(本例では、ＰＣ樹脂)の一体成型品からなる。フック部品２は、正面視において縦長の長円形輪郭を有する基板２０と、基板２０の下部に突設されたフック部２１とから構成される。基板２０の板厚ｔ２は、約２mmであり、この寸法は、軸部１３の軸芯方向の寸法と一致し、或いは、これより僅かに大きい寸法に設定される。基板２０は、全体的に正面視長円形の外形を有する。基板２０は、背面側（裏面側）に突出する周壁２２を外周部に備える。周壁２２の下端縁には、周壁２２の先端面から背面側に僅かに突出又は隆起する突起２２ａが形成される。突起２２ａの突出寸法（隆起寸法）は、シート材本体の厚さ（約１mm）と実質的に同一又は同等の寸法に設定される。
【００２４】
基板２０の上部には、正面視において縦長の長円形輪郭を有する段差部２３が形成される。段差部２３の内側には、全体的に背面側に引っ込んだ凹所領域２４が形成される。凹所領域２４の深さ（厚さ）寸法ｔ１は、頭部１４の厚さ（軸芯方向の寸法）と実質的に同一又は同等の寸法に設定され、凹所領域２４の部分における基板２０の厚さｔ２は、上記のとおり、軸部１３の厚さ（軸芯方向の寸法）と実質的に同一又は同等の寸法に設定される。なお、本書においては、「実質的に同一」とは、同一の作用又は機能を発揮し得る限りにおいて微小な相違や、若干の製作誤差、寸法誤差等は、許容し得るという意味である。
【００２５】
凹所領域２４には、係留部１１と係合可能な基板開口２５が形成される。基板開口２５は、真円形の基板開口部２５ａと、基板開口部２５ａから上方に延びるスロット形態又はスリット形態の基板溝２５ｂとから構成される。基板開口部２５ａの直径は、頭部１４の直径よりも僅かに大きく、基板溝２５ｂの溝幅は、基部１２及び頭部１４の各直径よりも小さく、軸部１３の直径よりも僅かに大きい寸法に設定される。
【００２６】
フック部２１は、基板開口２５の直下において基板２０の下部に突設される。フック部２１の基端部は、基板２０の下端縁に位置する。基板２２は、正面視においてフック部２１と相応する位置に縦長の開口２２ｂを備える。
【００２７】
図３は、フック部品２を接着シート材１に取付ける態様を示す側面図である。
【００２８】
接着シート材１の接着シート本体１０を接着剤Ｇによって壁面Ｗに貼着した状態が図３（Ａ)に示されている。使用において、ユーザは、フック部品２を手指で掴み、図３（Ａ）に示す如く、フック部品２の基板開口部２５ａと係留部１１とを同心状に整列させた後、図３（Ｂ）に示す如く、係留部１１をフック部品２の基板開口部２５ａに挿通せしめ、しかる後、図３（Ｃ）に示す如く、フック部品２を若干下方にスライドさせ、これにより、フック部品２を接着シート本体１にしっかりと係合又は嵌着せしめる。
【００２９】
図４は、本考案に係る表示具の構成を示す平面図である。
【００３０】
表示具３は、薄い表示シート３０からなり、表示シート３０には、係留部１１と係合可能なシート開口３５が穿設される。本例の表示シート３０は、概ね真円形輪郭を有する。シート開口３５は、真円形輪郭を有するシート開口部３５ａと、シート開口部３５ａから上方に延びるスロット形態又はスリット形態のシート溝３５ｂとから構成される。シート開口３５の輪郭は、係留部１１の基板開口２５と概ね一致する。所望により、シート開口３５を係留部１１の基板開口２５よりも僅かに大きく、或いは、僅かに小さい輪郭に形成しても良い。表示具３は、絵柄、模様、図形、文字等を表示面に印刷し又は描いた樹脂製シート、天然紙又は合成紙等からなる。例えば、表示具３は、厚さ０．３〜１．０mmの範囲内の厚さを有する弾性変形可能な樹脂シートを所望の輪郭に切断加工したものであり、好適に使用可能な樹脂シートとして、ＰＥ(ポリエチレン)樹脂、ＰＶＣ(ポリ塩化ビニル)樹脂、ＰＰ(ポリプロピレン)樹脂、熱可塑性エラストマー樹脂、ＰＡ(ポリアミド)樹脂等の樹脂製シートを例示し得る。表示具３の輪郭は、図９〜図１１に例示されるように多種多彩な任意の輪郭に成形することができる。また、表示具３には、任意の絵柄、模様、図形、文字等を記載し得る。例えば、図９〜図１１に例示されるように多種多様な任意の絵柄又は模様等を表示具３の表示面に施すことができる。
【００３１】
図５及び図６は、表示具３を接着シート材１に対して取付ける過程又は態様を示す斜視図及び縦断面図である。図７及び図８は、表示具３を接着シート材１に対して取付けた状態を示す縦断面図及びIII-III線断面図である。なお、図６〜図８の断面図においては、接着シート材は、側面視又は平面視の輪郭で示されている。
【００３２】
図５及び図６（Ａ）に示す如く、表示具３は、フック部品２を接着シート材１に取付ける前に接着シート材１に取付けられる。接着シート材１に対する表示具３の取付けは、基本的には、接着シート材１に対するフック部品２の取付け方法と同様の態様で行われる。即ち、ユーザは、表示具３を手指で掴み、表示具３のシート開口部３５ａと係留部１１とを同心状に整列させ、係留部１１の軸部１３を表示具３のシート開口部３５ａに挿通せしめ、しかる後、表示具３を保持する手指の力を解放し、或いは、表示具３を若干下方にスライドさせて、軸部１３をシート溝３５ｂ内で相対移動させる。ただし、この状態では、表示具３は、遊嵌状態に係留部１１に係合しているにすぎず、係留部１１の軸芯廻りに容易に回転するような極めて不安定な状態である。
【００３３】
図６（Ｂ）及び図６（Ｃ）に示す如く、このような状態でユーザがフック部品２を接着シート材１に対して更に取付けると、表示具３がフック部品２と接着シート材１との間に挟持され、この結果、表示具３は、安定した状態でしっかりと接着シート材１に保持される。即ち、ユーザは、フック部品２を手指で掴み、フック部品２の基板開口部２５ａと係留部１１とを同心状に整列させた後（図６（Ａ））、係留部１１をフック部品２の基板開口部２５ａに挿通せしめ（図６（Ｂ））、しかる後、フック部品２を若干下方にスライドさせる（図６（Ｃ））。このようにしてフック部品２を係留部１１に係合又は嵌着せしめた状態が、図７及び図８に示されている。
【００３４】
図７及び図８に示す如く、表示具３は、基板２０の凹所領域２４と基部１２の環状平面とに挟持される。基部１２は、フック部品２の取付時にフック部品２に与えられた手指の圧力により若干圧縮変形し、その弾性復元力又は弾性反発力によって表示具３を圧力下に挟持する。また、周壁２２及び突起２２ａは、表示シート３０を接着シート本体１０及び壁面Ｗの側に押圧して変形させ、表示シート３０は、周壁２２及び突起２２ａの先端面と、接着シート本体１０又は壁面Ｗとの間に挟持される。このようにしてフック部品２と接着シート材１との間に挟持された表示具３の姿勢及び位置は、安定する。なお、フック部品２は、表示具３の有無にかかわらず、帽子、バッグ等を懸吊するために普通に使用することができる。
【００３５】
図９は、表示シート３０の表面印刷等によって表示具３の表示面に表出した絵柄又は模様の例示する表示具３の正面図である。図１０及び図１１は、表示具３の変形例を例示する正面図である。
【００３６】
図９に示す如く、任意の絵柄、図形等を印刷した円形シート材料を表示シート３０として使用することができる。表示シート３０の輪郭は、図１０及び図１１に示す如く、絵柄、図形等に相応して任意の形態に成形しても良い。
【００３７】
図１２は、接着シート材１の変形例を示す正面図、背面図、側面図、平面図及びIV−IV線断面図である。
【００３８】
接着シート材１は、図１２に示す如く、概ね正面視正方形の輪郭に成形しても良い。前述の実施形態と同じく、表示具３を遊嵌状態に接着シート材１の係留部１１に係合せしめた後、フック部品２を係留部１１に係合又は嵌着せしめ、これにより、表示具３をフック部品２及び接着シート材１によって壁面に保持することができる。
【００３９】
以上、本考案の好適な実施例について詳細に説明したが、本考案は上記実施形態に限定されるものではなく、実用新案登録請求の範囲に記載された本考案の範囲内で種々の変形又は変更が可能であることはいうまでもない。 
【００４０】
例えば、表示具を構成する表示シートの輪郭、形状や、表示シートに施される模様、文字等として、任意の模様、文字等を採用することができ、また、表示シートの形態として、二次元的な形状のみならず、例えば、折り紙や、紙製又は皮革製のクラフトデザイン製品のような三次元的輪郭又は形状を採用して良く、更には、表示の種類として、各種サイン、カレンダ、時刻等の任意の表示を採用しても良い。
【００４１】
また、上記接着シート材及びフック部品の具体的な寸法、形状や、表示具の形状等については、本考案の構成が適用され且つ本考案の作用効果が得られる限りにおいて任意に設計変更することが可能である。
【産業上の利用可能性】
【００４２】
本考案は、壁付けフック用表示具に適用され、好ましくは、壁面に設けられる物品懸吊用フックを壁面装飾手段、広告宣伝手段、案内表示手段、メッセージ表示手段、日付表示手段、時刻表示手段等の様々な用途に利用することを可能にする壁付けフック用表示具に適用される。本考案の表示具によれば、壁付けフックの構造を利用して、壁面の装飾、広告宣伝、サイン、案内や、メッセージ、日付、時刻等の表示手段を構成する部材、部品等を壁面に取外し可能に係留し、これにより、壁面を汚すことなく、壁面を損傷させることもなく、壁面装飾手段、広告宣伝手段、案内表示手段、メッセージ表示手段、日付表示手段、時刻表示手段等を比較的容易に壁面に設置することが可能となる。
【００４３】
また、本考案を適用した壁付けフックによれば、壁付けフックの意匠性又は装飾効果を向上し、或いは、表示具の機能的効果又はプレゼンテーション効果を利用して、壁付けフックの用途又は機能を多様化し又は拡張することができるので、その実用的効果には、顕著なるものがある。
【符号の説明】
【００４４】
１  接着シート材
２  フック部品
３  表示具
１０  接着シート本体
１１  係留部
１２  基部
１３  軸部
１４  頭部
１５  接着剤塗布溝
２０  基板
２１  フック部
２２  周壁
２２ａ  突起
２３  段差部
２４  凹所領域
２５  基板開口
２５ａ  基板開口部
２５ｂ  基板溝
３０  表示シート
３５  シート開口
３５ａ  シート開口部
３５ｂ  シート溝
Ｇ  接着剤
Ｗ  室内壁面
【図１】
0003213426.tif 000003
【図２】
0003213426.tif 000004
【図３】
0003213426.tif 000005
【図４】
0003213426.tif 000006
【図５】
0003213426.tif 000007
【図６】
0003213426.tif 000008
【図７】
0003213426.tif 000009
【図８】
0003213426.tif 000010
【図９】
0003213426.tif 000011
【図１０】
0003213426.tif 000012
【図１１】
0003213426.tif 000013
【図１２】
0003213426.tif 000014